(57)【要約】【課題】本発明は、簡単に製造することができるとともに良好な装着感を得ることが可能な眼鏡フレームを提供することを目的とする。【解決手段】眼鏡フレームは、レンズを保持するレンズ保持部材１と、レンズ保持部材１の両側に回動可能に取り付けられたテンプル２とを備えた眼鏡フレームにおいて、テンプル２は、複数の開口部分及び当該開口部分を連結する連結部分が長手方向に形成されるとともに当該開口部分及び当該連結部分を湾曲させてウェーブ状に形成された一対の板部材２０及び２１を重ね合わせて一体構成されており、外側の板部材２０の連結部分は、内側の板部材２１の開口部分に入り込むように設定されている。【選択図】図１
2014038292.tif 000002
【特許請求の範囲】
【請求項１】
レンズを保持するレンズ保持部材と、前記レンズ保持部材の両側に回動可能に取り付けられたテンプルとを備えた眼鏡フレームにおいて、前記テンプルは、複数の開口部分及び当該開口部分を連結する連結部分が長手方向に形成されるとともに当該開口部分及び当該連結部分を湾曲させてウェーブ状に形成された一対の板部材を重ね合わせて一体構成されており、外側の前記板部材の前記連結部分は、内側の前記板部材の前記開口部分に入り込むように設定されている眼鏡フレーム。
【請求項２】
一方の前記板部材は、他方の前記板部材よりも長く形成されており、前記レンズ保持部材側では、両方の前記板部材の端部にそれぞれ取付部分が形成されて重ね合わされて固定されており、前記レンズ保持部材と反対側では、他方の前記板部材の端部が一方の前記板部材に重ね合わされて固定されている請求項１に記載の眼鏡フレーム。
【発明の詳細な説明】
【技術分野】
【０００１】
本発明は、レンズ保持部材及びテンプルを備えた眼鏡フレームに関する。
【背景技術】
【０００２】
眼鏡フレームは、レンズの全体又は一部を保持するレンズ枠体やツーポイントタイプのように枠無で保持する連結体のようなレンズ保持部材に蝶番を介してテンプルを回動可能に取り付けてテンプルが折り畳めるように構成されている。
【０００３】
眼鏡フレームを装着した場合に、テンプルは頭部の両側に配置されて装着されるが、その際にテンプルが頭部に対して圧接した状態であれば眼鏡フレームが頭部からずれ落ちるのを抑止することができる。しかしながら、テンプルが頭部に対して強く圧接すると装着感が悪くなるため、テンプルに適度な弾性を持たせて装着感を悪化させずにずれ落ち防止が図られている。
【０００４】
例えば、特許文献１では、テンプルのヒンジ構造部の近傍に二股部を設け、二股部の外側に配置される一方の部材を太く短かく形成してストッパ部とし、内側に形成される他方の部材を耳かけ部まで延長してテンプル本体とし、テンプル本体がストッパ部に対向する部位を弾性変形されて外側に開けるようにした点が記載されている。また、特許文献２では、フロントフレームの両側に設けられた鎧部と、鎧部に連結される屈曲可能なテンプルとを備えた眼鏡フレームにおいて、鎧部を２分割してテンプル側の部分が弾性を有するようにし、使用者の頭部を挟持するために拡開する時、テンプルが頭部に対して湾曲状に当接するようにした点が記載されている。また、特許文献３では、テンプルに内側に向かって湾曲する分岐部を設け、分岐部では、外側部分及び内側部分が間隔を空けて両側をテンプルに連結して一体形成されており、テンプルを外側に開くように力を加えた場合外側部分及び内側部分が弾性変形するようになっている点が記載されている。
【先行技術文献】
【特許文献】
【０００５】
【特許文献１】特開２００２−０８２３１９号公報
【特許文献２】特開２００８−０５８７８４号公報
【特許文献３】特開２０１１−１２３３０７号公報
【発明の概要】
【発明が解決しようとする課題】
【０００６】
上述した特許文献１及び２では、テンプルに弾性変形しやすい部位を形成してテンプルの装着感を改善しているが、その反面テンプルの強度が弱くなって壊れやすくなる構造となっている。そして、複雑な構造となるため、眼鏡フレームを製造する場合にコスト負担が大きくなる可能性がある。また、特許文献３では、簡単な構造で装着感が良好で取り扱いが容易であるものの、製造する場合に分岐部を精度よく湾曲して形成する必要がある。
【０００７】
そこで、本発明は、簡単に製造することができるとともに良好な装着感を得ることが可能な眼鏡フレームを提供することを目的とする。
【課題を解決するための手段】
【０００８】
本発明に係る眼鏡フレームは、レンズを保持するレンズ保持部材と、前記レンズ保持部材の両側に回動可能に取り付けられたテンプルとを備えた眼鏡フレームにおいて、前記テンプルは、複数の開口部分及び当該開口部分を連結する連結部分が長手方向に形成されるとともに当該開口部分及び当該連結部分を湾曲させてウェーブ状に形成された一対の板部材を重ね合わせて一体構成されており、外側の前記板部材の前記連結部分は、内側の前記板部材の前記開口部分に入り込むように設定されている。さらに、一方の前記板部材は、他方の前記板部材よりも長く形成されており、前記レンズ保持部材側では、両方の前記板部材の端部にそれぞれ取付部分が形成されて重ね合わされて固定されており、前記レンズ保持部材と反対側では、他方の前記板部材の端部が一方の前記板部材に重ね合わされて固定されている。
【発明の効果】
【０００９】
本発明は、上記のような構成を有することで、簡単に製造することができるとともに良好な装着感を得ることができる。
【図面の簡単な説明】
【００１０】
【図１】本発明に係る眼鏡フレームに関する平面図である。
【図２】本発明に係る眼鏡フレームに関する側面図である。
【図３】金属製の薄板を切断加工した状態の板部材に関する側面図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る眼鏡フレームに関する平面図であり、図２は、本発明に係る眼鏡フレームに関する側面図である。眼鏡フレームは、一対のレンズＬを保持するレンズ保持部材１及び保持部材１の両側に蝶番３を介して回動可能に取り付けられたテンプル２を備えている。
【００１３】
レンズ保持部材１は、レンズＬの上部に嵌め込まれた左右一対のレンズ枠体１０、レンズ枠体１０を連結するブリッジ部材１１、レンズ枠体１０の内側に固定された鼻パッド１２及びレンズ枠体１０外側に固定された智１３を備えている。なお、この例では、レンズ保持部材は、レンズの上部のみにレンズ枠体を嵌め込むナイロールタイプとなっているがこれ以外のレンズ保持部材を使用することもできる。例えば、レンズの全周をレンズ枠体で囲むフルリムタイプやレンズ枠体を用いないツーポイントタイプでもよい。
【００１４】
テンプル２は、金属板を加工した２枚の板部材２０及び２１を重ね合わせて構成されている。外側の板部材２０は、内側の板部材２１よりも長く形成されており、レンズ保持部材１側では、板部材２０の端部と板部材２１の端部とが合致するように重ね合わされて固定されている。また、レンズ保持部材１と反対側では、板部材２０の端部が板部材２１の端部よりも延設されて、モダン４が挿入されて取り付けられる装着部分となり、板部材２１の端部は板部材２０に重ね合わされて固定されている。
【００１５】
板部材２０及び２１は、金属製の薄板をレーザ加工等により所定の形状に切断加工しており、切断加工した板材を厚さ方向に湾曲させて全体として波形形状に加工されている。図３は、金属製の薄板を切断加工した状態の板部材２０及び２１に関する側面図である。図３（ａ）は、板部材２０に関する切断加工形状を示しており、長手方向の一端部がレンズ保持部材１側の取付部分２０ａとなる。また、取付部分２０ａに続いて３つの開口部分２０ｂが形成されており、各開口部分２０ｂは、両側に円弧状に拡がる枠体により形成され、各開口部分２０ｂのサイズは、レンズ保持部材１側から中央に行くに従い小さくなるように設定されている。各開口部分２０ｂの間には細幅の連結部分２０ｃが所定長さで形成されており、長手方向の他端側の開口部分２０ｂから細幅の装着部分２０ｄが所定長さだけ延設されている。そして、取付部分２０ａ、連結部分２０ｃ及び装着部分２０ｄは、板部材２０の中心軸Ｓに沿うように設定されている。
【００１６】
図３（ｂ）は、板部材２１に関する切断加工形状を示しており、中心軸Ｔに沿う長手方向の長さが板部材２０の中心軸Ｓに沿う長さより短く設定されている。長手方向の一端部がレンズ保持部材１側の取付部分２１ａとなる。また、取付部分２１ａに続いて連結部分２１ｃ、開口部分２１ｂ、連結部分２１ｃ、開口部分２１ｂ及び取付部分２１ｄが順次形成されている。２つの開口部分２１ｂは、開口部分２０ｂと同様に、両側に拡がる円弧状の枠体により形成されており、各開口部分２１ｂのサイズは、レンズ保持部材１側の開口部分の方が大きく形成されている。そして、取付部分２１ａを板部材２０の取付部分２０ａと重ね合わせた場合に、開口部分２１ｂが板部材２０の連結部分２０ｃに対応する位置になるように設定され、連結部分２１ｃが板部材２０の開口部分２０ｂに対応する位置となるように設定され、取付部分２１ｄが板部材２０の装着部分２０ｄのレンズ保持部材１側に重なるように設定される。
【００１７】
板部材２０及び２１の各開口部分は、その枠体を厚み方向に外側に向かって湾曲するように形成し、板部材２０及び２１の各連結部分を各開口部分とは反対方向に内側に向かって湾曲するように形成している。そのため、板部材２０及び２１は、図１に示すように、平面視で全体がウェーブ状の立体形状に形成されている。
【００１８】
板部材２１は、板部材２０の内側に重ね合わせて取り付けられており、レンズ保持部材１側の取付部分２１ａが板部材２０の取付部分２０ａに合致するように密着している。そして、板部材２１の各開口部分２１ｂに板部材２０の湾曲した各連結部分２０ｃが外側から入り込むように２枚の板部材２０及び２１を重ね合わせ、板部材２１の両端部を板部材２０に溶接することで、２枚の板部材を一体構成している。
【００１９】
こうして、テンプル２は、２枚の板部材２０及び２１を重ね合わせて一体構成され、その取付部分２０ａ及び２１ａを蝶番３に固定することで、レンズ保持部材１に回動可能に取り付けられている。そのため、両側のテンプル２をレンズ保持部材１に向かって閉じる方向に回動させて互いに重なり合うように折り畳んだり、折り畳んだテンプル２をレンズ保持部材１から離間するように開く方向に回動させて、図１に示すように設定することができる。
【００２０】
テンプル２を開いて利用者の頭部に眼鏡フレームを装着した場合、モダン４の部分が耳部の上側に掛けられて頭部の側面にテンプル２が配置される。こうした装着状態では、レンズ保持部材１が顔面からずり落ちないように、テンプル２及びモダン４の部分に弾性を持たせて頭部の側面に圧着した状態にしている。この例では、テンプル２に使用する２枚の金属製の板部材２０及び２１は、厚み方向に容易に湾曲変形する柔軟性を有するとともに変形を復元する弾性を有している。そのため、装着時にテンプル２に対して開く方向に力が加えられた場合、板部材２０及び２１が厚み方向に変形して弾性力により頭部の側面に圧着するようになる。
【００２１】
テンプル２は、開く方向に力が加えられた場合、まず、モダン４が取り付けられた板部材２０の装着部分２０ｄが開く方向に湾曲変形する。この場合、板部材２０の装着部分２０ｄ以外の部分では板部材２０及び２１が重なり合う２枚構成となっており、板部材２０の１枚構成である装着部分２０ｄよりも高剛性となっているため、装着部分２０ｄが最初に変形するようになる。
【００２２】
そして、装着部分２０ｄがさらに変形してある程度湾曲変形すると、板部材２０及び２１が重なり合う２枚構成部分についても変形するようになる。２枚構成部分では、湾曲した開口部分２０ｂ及び２１ｂが曲率が小さくなるように拡がる方向に変形する。そのため、板部材２０の連結部分２０ｃが板部材２１の開口部分２１ｂに相対的に深く入り込むようになる。
【００２３】
開口部分２０ｂ及び２１ｂがさらに拡がるように変形していくと、連結部分２０ｃが開口部分２１ｂにさらに入り込んで、連結部分２０ｃの両側の開口部分２０ｂの枠体部分が開口部分２１ｂの枠体部分に当接するようになる。開口部分２０ｂ及び２１ｂの枠体同士が当接した状態では板部材２０及び２１が一体となって全体として変形するようになるため、開く方向の力に対する剛性が高まるようになって変形しにくくなる。
【００２４】
このように、テンプル２を開く方向に力を加えた場合、最初は低剛性の１枚構成部分である装着部分２０ｄが主に変形し、１枚構成部分の変形が大きくなると高剛性の２枚構成部分が変形し、さらに２枚の板部材２０及び２１が一体化して剛性が高められた状態で変形して、３段階の剛性でスムーズに変形するようになる。
【００２５】
したがって、眼鏡フレームを頭部に装着する場合、テンプル２を開く方向に力を加えると、１枚構成部分が主に変形して容易に利用者の頭部のサイズに合った開いた状態とすることができる。そして、眼鏡フレームを装着した状態では、頭部の側面にテンプル２の低剛性の１枚構成部分が当接するので、頭部に対する圧迫感が少なくなり、また高剛性の２枚構成部分によりテンプル２の大きな変形に対して高剛性となるため眼鏡フレームを安定した装着状態とすることができる。そのため、安定した良好な装着感を得ることが可能となる。
【符号の説明】
【００２６】
１・・・レンズ保持部材、１０・・・レンズ枠体、１１・・・ブリッジ部材、１２・・・鼻パッド、１３・・・智、２・・・テンプル、２０・・・外側の板部材、２０ｂ・・・開口部分、２０ｃ・・・連結部分、２１・・・内側の板部材、２１ｂ・・・開口部分、２１ｃ・・・連結部分、３・・・蝶番、４・・・モダン
【図１】
2014038292.tif 000003
【図２】
2014038292.tif 000004
【図３】
2014038292.tif 000005